(57)【特許請求の範囲】
【請求項１】
インターネットに接続され、前記インターネット内で唯一の特定アドレスが割り当てられた複数のノードと、
前記インターネットを介して所定の前記ノードにアクセスし、ノードから配信される広告コンテンツを表示する複数の端末と、
前記インターネットを介して前記複数のノードと通信を行なう管理サーバと
を有する広告配信方法であって、
前記各ノードのユーザに関する個人プロファイルデータを前記管理サーバの個人プロファイルストレージ部に格納すると共に、複数種類の広告コンテンツを前記管理サーバの広告コンテンツストレージ部に格納するステップと、
前記管理サーバのプロファイル検索部が、前記個人プロファイルストレージ部から所望の個人プロファイルデータを選択するステップと、
前記管理サーバのアドレス抽出部が、前記プロファイル検索部によって選択した個人プロファイルデータから前記ノードの配信アドレスを抽出するステップと、
前記管理サーバの配信広告選択部が、前記広告コンテンツストレージ部の広告コンテンツの中から所定の広告コンテンツを選択すると共に、前記所定の広告コンテンツを配信後に前記広告コンテンツストレージ部から削除するステップと、
前記管理サーバの広告配信部が、前記配信広告選択部によって選択された所定の広告コンテンツを、前記アドレス抽出部によって抽出されたノードに配信するステップと、
前記管理サーバからの広告コンテンツを前記ノードの広告蓄積部に複数種類格納するステップと、
前記ノードの少なくとも１つのセンサが、検出対象の温度・湿度・圧力・画像・音響・振動・オンオフ接点などの少なくともいずれかの物理量を測定するステップと、
このセンサにて測定された物理量のセンシングデータを、前記ノードのセンシングデータ蓄積部に格納するステップと、
前記ノードの広告選択部が、前記端末がアクセスした時点のセンシングデータを選択条件として、前記広告蓄積部の広告コンテンツの中から条件に適合した広告コンテンツを選択するステップと、
前記ノードの広告コンテンツ発信制御部が、前記広告選択部で選択された広告コンテンツおよびセンシングデータとを前記端末に送信するステップと
を備えたことを特徴とする広告配信方法。
【請求項２】
各ノードの前記広告蓄積部にはあらかじめ広告コンテンツが蓄積されていることを特徴とする請求項１記載の広告配信方法。
【請求項３】
各ノードから端末への広告コンテンツの配信は、端末からノードへのアクセスに依存することなくノードが自律的に行うことを特徴とする請求項１または２記載の広告配信方法。
【請求項４】
各ノードから端末への広告コンテンツの配信は、ノードが管理するタイミングで行うことを特徴とする請求項３記載の広告配信方法。
【請求項５】
インターネットに接続され、前記インターネット内で唯一の特定アドレスが割り当てられた複数のノードと、
前記インターネットを介して所定の前記ノードにアクセスし、ノードから配信される広告コンテンツを表示する複数の端末と、
前記インターネットを介して前記複数のノードと通信を行なう管理サーバと
を有し、
前記ノードは、
検出対象の温度・湿度・圧力・画像・音響・振動・オンオフ接点などの少なくともいずれかの物理量を測定する少なくとも１つのセンサと、
このセンサにて測定された物理量のセンシングデータを格納するセンシングデータ蓄積部と、
前記センサからのセンシングデータの処理やセンシングデータ蓄積部へのセンシングデータの格納および読み出しを行なうセンシング処理部と、
複数種類の前記広告コンテンツを格納する広告蓄積部と、
前記端末がアクセスした時点のセンシングデータが前記センシング処理部を介して入力され、入力されたセンシングデータを選択条件として、前記広告蓄積部の広告コンテンツの中から条件に適合した広告コンテンツを選択する広告選択部と、
前記広告選択部で選択された広告コンテンツおよび前記センシング処理部からのセンシングデータとを前記端末に送信する広告コンテンツ発信制御部と
を備え、
前記管理サーバは、
前記各ノードのユーザに関する個人プロファイルデータを格納する個人プロファイルストレージ部と、
前記個人プロファイルストレージ部から所望の個人プロファイルデータを選択するプロファイル検索部と、
前記プロファイル検索部が選択した個人プロファイルデータから前記ノードの配信アドレスを抽出するアドレス抽出部と、
複数種類の広告コンテンツを格納する広告コンテンツストレージ部と、
前記広告コンテンツストレージ部の広告コンテンツの中から、所定の広告コンテンツを選択すると共に、前記所定の広告コンテンツを配信後に前記広告コンテンツストレージ部から削除する配信広告選択部と、
前記配信広告選択部によって選択された所定の広告コンテンツを、前記アドレス抽出部によって抽出されたノードに配信する広告配信部と
を備えたことを特徴とする広告配信装置。
【請求項６】
各ノードに、広告コンテンツ毎の配信数をカウントするカウンタを設けたことを特徴とする請求項５記載の広告配信装置。
【請求項７】
各ノードから端末への広告コンテンツの配信は、端末からノードへのアクセスに依存することなくノードが自律的に行うことを特徴とする請求項５または６記載の広告配信装置。
【請求項８】
各ノードから端末への広告コンテンツの配信は、ノードが管理するタイミングで行うことを特徴とする請求項７記載の広告配信装置。
【発明の詳細な説明】
【０００１】
【発明の属する技術分野】
本発明は、広告配信方法および広告配信装置に関するものであり、詳しくは、インターネットユーザーの中からサービスを含む各種商品に対する関心度の高い消費者を自動的に選別して、それぞれの商品の広告を配信する方法およびその装置に関する。
【０００２】
【従来の技術】
インターネットユーザーに対する広告配信は、インターネット無料接続サービス分野におけるホームページのバナー広告や、メールにより配信されるマガジンの一部領域に広告スペースを設けることや、地図表示画面の一部に広告スペースを設けるなどの各種の形態で、広告配信元に設置されている集中型の管理サーバーから行われている。
【０００３】
【発明が解決しようとする課題】
しかし、これら従来の広告配信方法には、以下のような問題点がある。
（１）ユーザーが現在いる場所の環境やユーザーがアクセス対象としている端末が配置されている環境などのリアルタイムに変化する環境状況（例えば室温）を条件とした広告選択ができない。
（２）ユーザーに対して個別広告を配信表示する場合、従来の管理サーバーではその拡張性に限界があり、個別広告数に関するスケーラビリティが乏しい。
（３）関心のない商品の広告を送り付けられるユーザーにとっては無駄な情報であり、宣伝効果として逆効果の危険性が高い。
【０００４】
本発明は、これらの問題点を解決するものであり、その目的は、インターネットユーザーに対して、個人プロファイルおよび現在の環境をリアルタイムに反映させたそれぞれのユーザーの潜在需要を喚起する可能性の高い商品（サービスを含む）の広告を、各ユーザー毎に個別に配信する方法および装置を提供することにある。
【０００５】
【課題を解決するための手段】
上記の目的を達成するために、請求項１に記載の発明は、
インターネットに接続され、前記インターネット内で唯一の特定アドレスが割り当てられた複数のノードと、
前記インターネットを介して所定の前記ノードにアクセスし、ノードから配信される広告コンテンツを表示する複数の端末と、
前記インターネットを介して前記複数のノードと通信を行なう管理サーバと
を有する広告配信方法であって、
前記各ノードのユーザに関する個人プロファイルデータを前記管理サーバの個人プロファイルストレージ部に格納すると共に、複数種類の広告コンテンツを前記管理サーバの広告コンテンツストレージ部に格納するステップと、
前記管理サーバのプロファイル検索部が、前記個人プロファイルストレージ部から所望の個人プロファイルデータを選択するステップと、
前記管理サーバのアドレス抽出部が、前記プロファイル検索部によって選択した個人プロファイルデータから前記ノードの配信アドレスを抽出するステップと、
前記管理サーバの配信広告選択部が、前記広告コンテンツストレージ部の広告コンテンツの中から所定の広告コンテンツを選択すると共に、前記所定の広告コンテンツを配信後に前記広告コンテンツストレージ部から削除するステップと、
前記管理サーバの広告配信部が、前記配信広告選択部によって選択された所定の広告コンテンツを、前記アドレス抽出部によって抽出されたノードに配信するステップと、
前記管理サーバからの広告コンテンツを前記ノードの広告蓄積部に複数種類格納するステップと、
前記ノードの少なくとも１つのセンサが、検出対象の温度・湿度・圧力・画像・音響・振動・オンオフ接点などの少なくともいずれかの物理量を測定するステップと、
このセンサにて測定された物理量のセンシングデータを、前記ノードのセンシングデータ蓄積部に格納するステップと、
前記ノードの広告選択部が、前記端末がアクセスした時点のセンシングデータを選択条件として、前記広告蓄積部の広告コンテンツの中から条件に適合した広告コンテンツを選択するステップと、
前記ノードの広告コンテンツ発信制御部が、前記広告選択部で選択された広告コンテンツおよびセンシングデータとを前記端末に送信するステップと
を備えたことを特徴とする広告配信方法である。
【０００６】
端末はノードから必要な物理量データを入手するとともに、広告コンテンツも受け取る。このように、広告コンテンツはノードから端末に向けて配信されるので、従来に比べて管理サーバーの負担は大幅に軽減される。
また、ノードには随時新しい広告コンテンツを配信できるとともに、広告コンテンツは個人プロファイルデータに基づいて選択または編集して配信されることから、高い宣伝効果が期待できる。
また、ノードから端末に配信される広告コンテンツは、ノードで検出した物理量データに応じて選択されるので、その時点でのユーザーの心理状況を反映した適切な商品広告を配信できることになる。
また、端末のユーザーは、ノードへのアクセスに対するノードからの応答に注目している可能性が高いので、ノードから端末に配信する広告コンテンツに関してより高い訴求度が期待できる。
また、ノードは、端末のユーザーに対して、ユーザーの心理状況を反映させて購買行動を喚起する可能性の高い広告コンテンツを効果的に配信できる。さらに、例えばノードが配置されている環境の変化状況を物理量データの値に基づく広告コンテンツの形態で配信できるので、異常状態に至る前段階の状況を端末のユーザーに通知することにより対策を促すこともできる。
【０００７】
請求項２に記載の発明は、請求項１記載の広告配信方法において、各ノードの前記広告蓄積部にはあらかじめ広告コンテンツが蓄積されていることを特徴とする。
【０００８】
例えば電力やガスなどの公共性の高い広告コンテンツや季節要因の影響が少ない広告コンテンツ類は、あらかじめノードに蓄積しておくことで、管理サーバーの配信負荷を軽減できる。
【００１９】
請求項３記載の発明は、請求項１または２記載の広告配信方法において、各ノードから端末への広告コンテンツの配信は、端末からノードへのアクセスに依存することなくノードが自律的に行うことを特徴とする。
【００２０】
請求項４記載の発明は、請求項３記載の広告配信方法において、各ノードから端末への広告コンテンツの配信は、ノードが管理するタイミングで行うことを特徴とする。
【００２１】
これらにより、ノードへのアクセス頻度の低い端末に対しても、常に所定量の広告コンテンツ配信が行える。
【００２４】
請求項１２記載の発明は、
インターネットに接続され、前記インターネット内で唯一の特定アドレスが割り当てられた複数のノードと、
前記インターネットを介して所定の前記ノードにアクセスし、ノードから配信される広告コンテンツを表示する複数の端末と、
前記インターネットを介して前記複数のノードと通信を行なう管理サーバと
を有し、
前記ノードは、
検出対象の温度・湿度・圧力・画像・音響・振動・オンオフ接点などの少なくともいずれかの物理量を測定する少なくとも１つのセンサと、
このセンサにて測定された物理量のセンシングデータを格納するセンシングデータ蓄積部と、
前記センサからのセンシングデータの処理やセンシングデータ蓄積部へのセンシングデータの格納および読み出しを行なうセンシング処理部と、
複数種類の前記広告コンテンツを格納する広告蓄積部と、
前記端末がアクセスした時点のセンシングデータが前記センシング処理部を介して入力され、入力されたセンシングデータを選択条件として、前記広告蓄積部の広告コンテンツの中から条件に適合した広告コンテンツを選択する広告選択部と、
前記広告選択部で選択された広告コンテンツおよび前記センシング処理部からのセンシングデータとを前記端末に送信する広告コンテンツ発信制御部と
を備え、
前記管理サーバは、
前記各ノードのユーザに関する個人プロファイルデータを格納する個人プロファイルストレージ部と、
前記個人プロファイルストレージ部から所望の個人プロファイルデータを選択するプロファイル検索部と、
前記プロファイル検索部が選択した個人プロファイルデータから前記ノードの配信アドレスを抽出するアドレス抽出部と、
複数種類の広告コンテンツを格納する広告コンテンツストレージ部と、
前記広告コンテンツストレージ部の広告コンテンツの中から、所定の広告コンテンツを選択すると共に、前記所定の広告コンテンツを配信後に前記広告コンテンツストレージ部から削除する配信広告選択部と、
前記配信広告選択部によって選択された所定の広告コンテンツを、前記アドレス抽出部によって抽出されたノードに配信する広告配信部と
を備えたことを特徴とする広告配信装置である。
【００２５】
これにより、個々のノードと対応する端末との間で物理量データおよび広告コンテンツの配信系統が構築されるので、ノードは端末に対して管理サーバーを介することなくその都度必要な物理量データおよび広告コンテンツを配信でき、システム運用者側は端末からのアクセス数に応じた広告コンテンツの配信実績が得られる。
また、管理サーバーは各ノードに個人プロファイルデータに基づいて選択または編集された広告コンテンツを配信した後はそれらの広告コンテンツを蓄積しておかなくてもよく、管理サーバーの負担を大幅に軽減できる。
また、各ノードは端末に対して、ユーザーの購買行動を喚起する可能性の高い広告コンテンツを効果的に配信できる。
また、端末のユーザーは、ノードへのアクセスに対するノードからの応答に注目している可能性が高いので、ノードから端末に配信する広告コンテンツに関してより高い訴求度が期待できる。
また、ノードは、端末のユーザーに対して、ユーザーの心理状況を反映させて購買行動を喚起する可能性の高い広告コンテンツを効果的に配信できる。さらに、例えばノードが配置されている環境の変化状況を物理量データの値に基づく広告コンテンツの形態で配信できるので、異常状態に至る前段階の状況を端末のユーザーに通知することにより対策を促すこともできる。
【００２８】
請求項６記載の発明は、請求項５記載の広告配信装置において、各ノードに、広告コンテンツ毎の配信数をカウントするカウンタを設けたことを特徴とする。
【００２９】
これにより、個々のノード毎に個々の広告コンテンツの配信実績を細かく把握でき、広告依頼主に対してきめの細かい広告配信実績データを提供できる。
【００３４】
請求項７記載の発明は、請求項５または６記載の広告配信装置において、各ノードから端末への広告コンテンツの配信は、端末からノードへのアクセスに依存することなくノードが自律的に行うことを特徴とする。
【００３５】
請求項８記載の発明は、請求項７記載の広告配信装置において、各ノードから端末への広告コンテンツの配信は、ノードが管理するタイミングで行うことを特徴とする。
【００３６】
これらにより、前述の請求項３および請求項４の場合と同様に、ノードへのアクセス頻度の低い端末に対しても、常に所定量の広告コンテンツ配信が行える。
【００３９】
【発明の実施の形態】
図１は、本発明のシステム概念図である。
インターネット１には、複数のノード２と、汎用のブラウジング機能を有するパソコンや携帯電話などに代表される複数のユーザー端末３と、システム運用のための管理サーバー４と、広告依頼主や代理店などのクライアント端末５が接続されている。
【００４０】
図２は、各ノード２のブロック例図であり、例えばエアコンのリモコンに組み込まれるものである。
【００４１】
ネットワーク通信部２０１は、例えばＩＰｖ６により各ノード２に割り付けられているネットワーク上でユニークなネットワーク内で唯一の特定アドレスとの照合を行い、各ノード２とインターネット１との間での通信を実行する。
【００４２】
ユーザー認証部２０２は、インターネット１を介してユーザー端末３や管理サーバー４から行われるアクセスに対して、そのアクセスがあらかじめ認められたものかどうかを判定し、認められたアクセスのみを許可するための認証を行う。
【００４３】
センサ２０３は、検出対象の温度・湿度・圧力・画像・音響・振動・オンオフ接点などの少なくともいずれかの自然界の物理量をセンシングデータＳＤとして検出するものであり、検出対象に応じて、温度センサ・湿度センサ・圧力センサ・画像センサ・音響センサ・振動センサ・接点スイッチなどを用いる。本実施例では、例えば温度センサでエアコンのリモコン周辺の温度を測定し、そのセンシングデータＳＤをセンシング処理部２０４に入力する。
【００４４】
センシング処理部２０４は、必要に応じてセンサ２０３から出力されるセンシングデータＳＤに基づいて、検出対象の特徴検出処理を行う。例えば室内を画像センサでモニターしている場合には、画面上の注目画像の変化状態から室内における人の出入りなどを識別処理する。また、室内を音響センサ（マイク）でモニターしている場合には、検出した音響信号の特徴から部屋のドアの開閉と冷蔵庫のドアの開閉を識別したり、玄関のチャイムと電話の呼び出しベルを識別処理する。これらセンシング処理部２０４の特徴検出処理結果も、センシングデータＳＤの一部としてセンシングデータ蓄積部２０５に格納する。
【００４５】
このセンシングデータ蓄積部２０５に格納されたセンシングデータＳＤは、センシング処理部２０４を介して、コンテンツ発信制御部２０６に出力される。そして、ユーザー端末３や管理サーバー４からの送信要求アクセスがあった場合には、ユーザー認証機能部２０２，ネットワーク通信部２０１およびインターネット１を経て、ユーザー端末３や管理サーバー４に送信される。
【００４６】
広告コンテンツ受信部２０７は、管理サーバー４からインターネットを経由して送信される広告コンテンツＡＣを受信して広告蓄積部２０８に格納蓄積する。なお、広告蓄積部２０８にはインターネットを経由しないでＲＯＭ形式で配布される広告コンテンツＡＣがあらかじめ格納蓄積されている場合もあり、これらを併用してもよい。
【００４７】
広告蓄積部２０８に格納蓄積されたこれら広告コンテンツＡＣは、ユーザー端末３からセンシングデータＳＤの送信要求アクセスがあった場合に、センシングデータＳＤとともにコンテンツ発信制御部２０６，ユーザー認証機能部２０２，ネットワーク通信部２０１およびインターネット１を経て、ユーザー端末３に送信される。
【００４８】
アクセスログ蓄積部２０９は、そのノード２とユーザー端末３との間におけるアクセス履歴を蓄積格納する。このアクセスログ蓄積部２０９に蓄積格納されるアクセス履歴データは、管理サーバーからの要求に応じて送信したり、ノード２から定期的に管理サーバーに送信したり、所定のデータ量毎に送信した後は、それまでのアクセス履歴データを削除して新しいアクセス履歴データを逐次格納する。具体的には、少なくともユーザー端末３に対して送信した広告コンテンツ毎の送信回数データを蓄積格納するが、メモリ容量にもよるものの、送信した広告コンテンツ毎の送信日時や同時に送信したセンシングデータＳＤに関する情報も付加することによって、広告配信に関する各種の解析を行うことができる。
【００４９】
命令受信部２１０は、インターネット１を介してユーザー端末３から入力されるアクチュエータ２１１を駆動するための制御命令を受信する。本実施例の場合には、エアコンを制御するための制御命令を受信して、エアコンを制御することになる。
【００５０】
図３は、管理サーバー４のブロック例図である。
ネットワーク通信部４０１は、管理サーバー４とインターネット１との間での通信を実行する。
【００５１】
ノード制御発信部４０２は、各ノード２に対して、選択的にアクセスログデータＡＤやセンシングデータＳＤの送信を要求したり、ノードの保守点検に必要な指示命令などを出力する。
【００５２】
ノードデータ取込部４０３は、各ノード２から送信されてくるセンシングデータＳＤを取り込み蓄積する。
【００５３】
アクセスログ部４０４は、各ノード２から送信されてくる広告コンテンツのアクセス日時データなどを含むアクセスログデータＡＤを取り込み蓄積する。
【００５４】
個人プロファイル登録部４０５は、各ノード２のユーザーに関する個人プロファイルデータを、ネットワーク経由であるいは図示しないサーバーの操作端末から入力登録し、個人プロファイルストレージ部４０６に蓄積格納する。
【００５５】
広告オーダー処理部４０７は、広告依頼主や代理店などのクライアント端末５からの広告注文を処理する。具体的には、広告注文の内容を個人プロファイル指定系統と広告コンテンツ登録系統と配信広告選択系統とに分類してそれぞれの処理系統に出力する。
【００５６】
プロファイル検索部４０８は、広告オーダー処理部４０７から入力される個人プロファイル指定データに基づいて個人プロファイルストレージ部４０６から該当する個人プロファイルデータを選択し、アドレス抽出部４１０に出力する。
【００５７】
アドレス抽出部４０９は、個人プロファイルデータから配信アドレスを抽出して広告配信部４１０に出力する。
【００５８】
広告登録部４１１は、クライアント端末５から送信される広告コンテンツを広告コンテンツストレージ部４１２に蓄積格納する。
【００５９】
配信広告選択部４１３は、広告コンテンツストレージ部４１２に蓄積格納されている広告コンテンツの中から、クライアント端末５からの指示に基づく所定の広告コンテンツを選択して広告配信部４１０に出力する。
【００６０】
広告配信部４１０は、クライアント端末５からの指示に基づく所定の広告コンテンツを、クライアント端末５からの指示に基づく所定の個人プロファイルデータに合致するユーザーの各ノード２に対して選択的に送信する。
【００６１】
なお、広告コンテンツの配信にあたっては、広告コンテンツの一部を個人プロファイルデータの氏名データや誕生日データなどに基づいて加工編集して各ノード別にカスタマイズしてもよい。
【００６２】
アクセスログ解析部４１４は、アクセスログ部４０４に格納蓄積される各ノード２からのアクセスログデータＡＤに基づいて、広告依頼主や代理店に対する課金処理や、広告の効果測定や、システムの運用監視などを行う。
【００６３】
このようなシステムにおける広告配信処理の流れについて説明する。
広告依頼主や代理店などが作成した広告コンテンツは、例えばクライアント端末５から管理サーバー４に一旦格納された後、管理サーバー４からインターネット１を介して対象となる各ノード２に配信格納される。ただし、広告コンテンツはこのような配信に限るものではなく、前述のようにあらかじめ各ノード２に格納するＲＯＭ形式の併用も含む。
【００６４】
各ノード２への広告コンテンツの配信にあたっては、クライアントの商品（サービスを含む）についての販売戦略および各ノードユーザーの個人プロファイルデータを参照しながら、それぞれの商品について強い購買意欲を示す可能性の高いユーザーを選択したり、ユーザー個々についてはそれぞれのユーザーに対して潜在需要を喚起する可能性の高い商品の広告コンテンツを選択したり、広告コンテンツをカスタマイズする。
【００６５】
管理サーバー４に格納されていた広告コンテンツは、各ノード２に配信格納された段階で不要になるので削除できる。これにより、管理サーバー４は常に新しい広告コンテンツを受け入れできる体制になり、従来の集中型サーバーのように個別広告数の増加に対する拡張性が制限されることはない。
【００６６】
各ノード２は、例えばアクセスしてきたそれぞれのユーザー端末３に対して、広告蓄積部２０８に格納されている広告コンテンツをユーザー端末３に表示させるように、コンテンツ発信制御部２０６を介して送信する。
【００６７】
なお、各ノード２から端末３への広告コンテンツの配信は、端末３からノード２へのアクセスに依存することなく例えばノード２が管理する任意のタイミングで自律的に行うようにしてもよい。
【００６８】
ノード２が端末３への広告コンテンツの配信を自律的に行うようにすることにより、ノード２へのアクセス頻度の低い端末３に対しても、常に所定量の広告コンテンツ配信が行える。
【００６９】
ユーザー端末３からノード２へのアクセスのタイミングデータや、ノード２からユーザー端末３に配信する広告コンテンツの種別データなどは、前述のようにアクセスログ蓄積部２０９に逐次格納される。そして、アクセスログ蓄積部２０９に逐次格納されるこれらアクセスログデータは、管理サーバー４からの要求に応じてあるいはノード２が自律的に、管理サーバー４に送信する。
【００７０】
なお、アクセスログ蓄積部２１０には、例えばユーザー端末３に表示されるバナー広告をクリックした場合にそれらのクリック履歴データを格納することもでき、バナー広告のクリック数を保証する形式の広告配信システムの構築に有効である。
【００７１】
これにより、不特定多数のユーザーに対する単なる広告の垂れ流しにとどまることはなく、具体的な購買行動につながる可能性の高いユーザーに対して宣伝効果のよい広告コンテンツを配信できる。
【００７２】
また、管理サーバー４において、各ノード２から収集したアクセスログデータに基づいて、個人プロファイルデータと広告コンテンツとの相関関係などを解析することにより、きめの細かい広告配信システムを構築でき、クライアントの広告配信に対する投下費用について高い満足度を与えることができる。
【００７３】
図４はノード２の他の具体例を示すブロック図であり、図２の構成に広告選択部２１２を追加している。
【００７４】
広告選択部２１２は、広告蓄積部２０９に格納蓄積されている広告コンテンツＡＣの中から、センシング処理部２０４を介して入力されるセンシングデータＳＤに基づいて条件に合致したものを選択し、コンテンツ発信制御部２０６，ユーザー認証部２０２，ネットワーク通信部２０１およびインターネット１を経て、ユーザー端末３に送信する。
【００７５】
すなわち、図２のように構成される各ノード２は、例えばアクセスしてきたそれぞれのユーザー端末３に対して、その時点におけるセンシングデータＳＤを選択条件として、その条件に適合した広告コンテンツを選択して配信する。具体的には、アクセスしたタイミングが夏場の夕方で室温が高い場合には「冷えたビール」の広告コンテンツをユーザー端末３に表示させ、冬場の夕方で室温が低い場合には「温かいおでん」の広告コンテンツをユーザー端末３に表示させるようにする。
【００７６】
このように、ユーザー端末３からアクセスした時点におけるセンシングデータＳＤを選択条件として広告コンテンツを選択して配信することにより、ユーザーの心理状況を反映させた具体的な購買行動につながる可能性の高いユーザーに対して宣伝効果のよい広告コンテンツを配信できる。
【００７７】
また、端末３への広告コンテンツの配信を物理量データの値に基づいてノード２が自律的に行うことにより、例えばノード２が配置されている環境の変化状況を物理量データの値に基づく広告コンテンツの形態で配信できるので、異常状態に至る前段階の状況を端末３のユーザーに通知して必要な事前対策を促すこともできる。
【００７８】
また、運用システムサーバー４において、各ノード２から収集したアクセスログデータに基づいて、アクセスのタイミングデータと個人プロファイルデータとセンシングデータと広告コンテンツとの相関関係などを解析することにより、図２のノードよりもさらにきめの細かい広告配信システムを構築でき、クライアントの広告配信に対する満足度をさらに高めることができる。
【００７９】
なお上記実施例では、ノードとしてエアコンのリモコンに組み込む場合を説明したが、例えばテレビやビデオレコーダのリモコンにも組み込み可能であり、視聴率データの収集解析に好適なシステムが構築できる。
【００８０】
【発明の効果】
以上説明したように、本発明によれば、インターネットユーザーに対して、少なくとも個人プロファイルを反映させたそれぞれのユーザーの潜在需要を喚起する可能性の高い商品（サービスを含む）の広告を、各ユーザー毎に個別に配信する方法および装置を提供することができ、従来の広告配信では得られなかった高い宣伝効果が期待できる。
そして、配信する広告コンテンツの選択にあたって現在のノード環境に関連したセンシングデータをリアルタイムに反映させることにより、さらに宣伝効果を高めることができる
【図面の簡単な説明】
【図１】本発明のシステム概念である。
【図２】各ノードのブロック例図である。
【図３】管理サーバーのブロック例図である。
【図４】各ノードの他のブロック例図である。
【符号の説明】
１  インターネット
２  ノード
３  ユーザー端末
４  管理サーバー
５  クライアント端末
【図１】
0003880792.tif 000002
【図２】
0003880792.tif 000003
【図３】
0003880792.tif 000004
【図４】
0003880792.tif 000005